(57)【要約】【課題】植物の栽培場所を問わず使用することができ、這行虫類による被害を防止することができる防虫器具などを提供する。【解決手段】防虫器具１０は、培地Ｌで育成される植物Ｐの茎Ｐ１の根元の周りを包囲する状態で、培地Ｌの表面Ｌ１上に載置可能な防虫剤収容部１と、防虫剤収容部１の下面から培地Ｌ中に向かって連設され植物Ｐの根Ｒの周りを包囲する状態で培地Ｌ中に挿入可能な地中挿入部２と、を備えている。防虫剤収容部１の中心線を含む部分は中心線方向に物体が通過可能な貫通領域３となっている。培地Ｌで栽培中の植物Ｐの周りを防虫剤収容部１が包囲するような姿勢で、防虫器具１０を培地Ｌ上に載置し、防虫剤収容部１の下面の地中挿入部２を培地Ｌ中に挿入した後、防虫剤収容部１内に水Ｗなどの防虫剤を入れて使用する。【選択図】図３
2017063638.tif 000002
【特許請求の範囲】
【請求項１】
培地で育成される植物の周りを包囲する状態で前記培地上に載置可能な樋状の防虫剤収容部と、前記防虫剤収容部から前記培地中に向かって連設され前記植物の周りを包囲する状態で前記培地中に挿入可能な地中挿入部と、を備えた防虫器具。
【請求項２】
前記防虫剤収容部の少なくとも一部を覆う屋根部を設けた請求項１記載の防虫器具。
【請求項３】
前記防虫剤収容部及び前記地中挿入部を横断する方向に形成された接続部を介して互いに着脱可能な複数のセグメント体によって前記防虫剤収容部及び前記地中挿入部が形成された請求項１または２記載の防虫器具。
【請求項４】
前記屋根部に降った雨水を前記防虫剤収容部へ流入させる雨水導入手段を設けた請求項２または３に記載の防虫器具。
【請求項５】
前記防虫剤収容部の少なくとも内周領域が拡径可能である請求項１〜４のいずれか１項に記載の防虫器具。
【請求項６】
前記防虫剤収容部と連通した状態で前記防虫剤収容部の外周側に延設された補給経路を設けた請求項１〜５のいずれか１項に記載の防虫器具。
【請求項７】
培土を収容可能な培土容器部と、前記培土容器部の外周を包囲するように形成された樋状の防虫剤収容部と、を備えた防虫栽培器具。
【発明の詳細な説明】
【技術分野】
【０００１】
本発明は、ナメクジ、カタツムリ、ムカデ、ダンゴ虫などの這行虫類による植物の被害を防止する技術に関する。
【背景技術】
【０００２】
家庭菜園や農場などで栽培される各種野菜に被害を与えるナメクジやカタツムリなどの這行虫類を忌避する方法については、従来、様々な薬剤や器具が提案されているが、本発明に関連するものとして、例えば、特許文献１記載の「害虫防止鉢受皿」がある。
【０００３】
この「害虫防止鉢受皿」は、植木鉢受皿の中に一廻り小さい凸状皿が付いた形状を有する防虫器具である。凸状皿の上に植木鉢を置き、外枠（植木鉢受皿の外周部分）と内枠（凸状皿の外周部）との間に水を入れることにより、凸状皿上に置かれた植木鉢にナメクジなどが侵入するのを防止するというものである。
【先行技術文献】
【特許文献】
【０００４】
【特許文献１】特開平７−４４２６２号公報
【発明の概要】
【発明が解決しようとする課題】
【０００５】
特許文献１記載の「害虫防止鉢受皿」においては、外枠（植木鉢受皿の外周部分）と内枠（凸状皿の外周部）との間に入れられた水がナメクジなどの侵入を防止するので、植木鉢で生育する植物に対しては、所定の防虫効果を得ることができる。
【０００６】
しかしながら、特許文献１記載の「害虫防止鉢受皿」は、植木鉢を使用することなく、比較的大容量の栽培容器（例えば、プランターなど）や家庭菜園あるいは農場などの培地で育成されている植物に対して使用することができないという問題がある。
【０００７】
そこで、本発明が解決しようとする第１の課題は、植物の栽培場所を問わず使用することができ、這行虫類による被害を防止することができる防虫器具を提供することにあり、第２の課題は、這行虫類による被害を防止する機能を備えた防虫栽培器具を提供することにある。
【課題を解決するための手段】
【０００８】
本発明の防虫器具は、培地で育成される植物の周りを包囲する状態で前記培地上に載置可能な樋状の防虫剤収容部と、前記防虫剤収容部から前記培地中に向かって連設され前記植物の周りを包囲する状態で前記培地中に挿入可能な地中挿入部と、を備えたことを特徴とする。
【０００９】
本発明に係る防虫器具を、培地で育成される植物の周りを防虫剤収容部が包囲するような姿勢にして、培地上に載置し、防虫剤収容部に連設された地中挿入部を培地中に挿入した後、防虫剤収容部に防虫剤（水若しくはその他の防虫剤）を入れると、植物の周りが、防虫剤が貯留された連続環濠状の防虫剤収容部で包囲された状態となる。これにより、ナメクジなどの這行虫類が植物に接近不可能となるので、這行虫類による被害を防止することができる。また、防虫剤収容部の内周側は貫通形状であるため、本発明の防虫器具は植物の栽培場所を問わず、植物の周りに設置して、使用することができる。
【００１０】
ここで、前記防虫剤収容部の少なくとも一部を覆う屋根部を設けることもできる。
【００１１】
また、前記防虫剤収容部及び前記地中挿入部を横断する方向に形成された接続部を介して互いに着脱可能な複数のセグメント体によって前記防虫剤収容部及び前記地中挿入部が形成された構造とすることもできる。
【００１２】
また、前記屋根部に降った雨水を前記防虫剤収容部へ流入させる雨水導入手段を設けることもできる。
【００１３】
また、前記防虫剤収容部の少なくとも内周領域が拡径可能な構造とすることもできる。
【００１４】
一方、前記防虫剤収容部と連通した状態で前記防虫剤収容部の外周側に延設された補給経路を設けることもできる。
【００１５】
次に、本発明の防虫栽培器具は、培土を収容可能な栽培容器部と、前記栽培容器部の外周を包囲するように形成された樋状の防虫剤収容部と、を備えたことを特徴とする。
【００１６】
植物容器に収容された培土で植物が栽培されているとき、防虫剤収容部に防虫剤（水若しくはその他の防虫剤）を入れると、栽培容器の周りが、水または薬液が貯留された連続環濠状の防虫剤収容部で包囲された状態となる。これにより、ナメクジなどの這行虫類が植物に接近不可能となるので、這行虫類による被害を防止することができる。
【発明の効果】
【００１７】
本発明により、植物の栽培場所を問わず使用することができ、這行虫類による被害を防止することができる防虫器具を提供することができ、また、這行虫類による被害を防止する機能を備えた防虫栽培器具を提供することができる。
【図面の簡単な説明】
【００１８】
【図１】本発明の実施形態である防虫器具を示す斜視図である。
【図２】図１に示す防虫器具の中心線を含む平面における断面図である。
【図３】図１に示す防虫器具の使用状態を示す垂直断面図である。
【図４】図１に示す防虫器具の他の使用状態を示す垂直断面図である。
【図５】本発明のその他の実施形態である防虫器具の使用状態を示す垂直断面図である。
【図６】本発明のその他の実施形態である防虫器具を示す垂直断面図である。
【図７】本発明のその他の実施形態である防虫器具を示す垂直断面図である。
【図８】本発明のその他の実施形態である防虫器具を示す垂直断面図である。
【図９】本発明のその他の実施形態である防虫器具を示す垂直断面図である。
【図１０】本発明のその他の実施形態である防虫器具を示す斜視図である。
【図１１】本発明のその他の実施形態である防虫器具を示す一部省略分解斜視図である。
【図１２】図１１に示す防虫器具の接続構造の一部を示す斜視図である。
【図１３】本発明のその他の実施形態である防虫器具を示す一部省略分解斜視図である。
【図１４】本発明のその他の実施形態である防虫器具を示す分解斜視図である。
【図１５】図１４に示す防虫器具の一部拡大斜視図である。
【図１６】本発明のその他の実施形態である防虫器具を示す垂直断面図である。
【図１７】本発明のその他の実施形態である防虫器具を示す垂直断面図である。
【図１８】本発明のその他の実施形態である防虫器具を示す平面図である。
【図１９】図１８中のＸ−Ｘ線における垂直断面図である。
【図２０】本発明のその他の実施形態である防虫器具を示す垂直断面図である。
【図２１】本発明のその他の実施形態である防虫器具を示す垂直断面図である。
【図２２】本発明のその他の実施形態である防虫器具を示す垂直断面図である。
【図２３】本発明のその他の実施形態である防虫器具を示す垂直断面図である。
【図２４】本発明のその他の実施形態である防虫器具を示す斜視図である。
【図２５】図２４に示す防虫器具の垂直断面図である。
【図２６】図２４に示す防虫器具の使用状態を示す垂直断面図である。
【図２７】本発明のその他の実施形態である防虫栽培器具を示す垂直断面図である。
【図２８】本発明のその他の実施形態である防虫栽培器具を示す垂直断面図である。
【図２９】本発明のその他の実施形態である防虫器具を示す垂直断面図である。
【図３０】図２９に示す防虫器具の使用状態を示す垂直断面図である。
【図３１】図２９に示す防虫器具のその他の使用状態を示す垂直断面図である。
【図３２】本発明のその他の実施形態である防虫器具を示す平面図である。
【図３３】図３２中のＹ−Ｙ線における垂直断面図である。
【図３４】図３２に示す防虫器具の使用状態を示す垂直断面図である。
【図３５】図３２に示す防虫器具のその他の使用状態を示す垂直断面図である。
【図３６】図３２に示す防虫器具のその他の使用状態を示す垂直断面図である。
【発明を実施するための形態】
【００１９】
以下、図１〜図２６に基づいて本発明の実施形態である防虫器具１０，２０，３０，４０，５０，６０，７０，８０，９０，１００，１１０，１２０，１３０，１４０，１５０，１６０，１７０，１８０について説明する。なお、防虫器具１０〜１８０において、互いに共通する形状、構造及び機能を有する部分については、説明の反復を避けるため、初出の実施形態において説明を行い、その後の実施形態においては、該当図面中に同じ符号を付して説明を省略する。
【００２０】
図１〜図３に示すように、本実施形態の防虫器具１０は、培地Ｌで育成される植物Ｐの茎Ｐ１の根元の周りを包囲する状態で、培地Ｌの表面Ｌ１上に載置可能な防虫剤収容部１と、防虫剤収容部１の下面から培地Ｌ中に向かって連設され植物Ｐの根Ｒの周りを包囲する状態で培地Ｌ中に挿入可能な地中挿入部２と、を備えている。防虫剤収容部１は中心線１ｃの周りにて、平面視が円形（ドーナツ状）をなす樋状の部材であり、防虫剤収容部１の下面に沿って、下方に突出する短円筒形状をなす地中挿入部２が連設されている。また、円形の防虫剤収容部１の中心線１ｃを含む部分は中心線１ｃ方向に物体が通過可能な貫通領域３となっている。
【００２１】
図２に示すように、防虫剤収容部１の内周上縁部１ａは外周上縁部１ｂより高く突出した状態（中心線１ｃ方向に沿って地中挿入部２の反対側に向かって長く突出した状態）に形成され、防虫剤収容部１の垂直断面は略Ｊ字形状をなしている。
【００２２】
防虫器具１０を使用する場合、図３に示すように、培地Ｌで育成されている植物Ｐの周りを防虫剤収容部１が包囲するような姿勢にして、防虫器具１０を培地Ｌ上に載置し、防虫剤収容部１の下面に連設された地中挿入部２を培地Ｌ中に挿入した後、防虫剤収容部１内に水Ｗ（若しくはその他の防虫剤）を入れる。これにより、植物Ｐの周りが、水Ｗ（若しくは防虫剤）が貯留された連続環濠状の防虫剤収容部１で包囲された状態となる。
【００２３】
このような状態において、植物Ｐに接近するナメクジＳなどの這行虫類は、防虫器具１０の防虫剤収容部１の外周面に沿って外周上縁部１ｂまで這い上がることができても、防虫剤収容部１に貯留された水Ｗにより、これから先への這行が阻止され、植物Ｐに接近不可能となるので、ナメクジＳなどの這行虫類による被害を防止することができる。
【００２４】
防虫器具１０を構成する防虫剤収容部１の内周側は、物体が通過可能な貫通領域３となっているため、図３に示すように、培地Ｌにおいて育成されている植物Ｐに対して、防虫器具１０を被せるように装着し、植物Ｐの茎Ｐ１が貫通領域３を挿通した状態で培地Ｌ上に設置することにより、使用することができる。また、防虫器具１０は、植木鉢などの栽培容器で育成されている植物（図示せず）の周りに、前述と同様の手順で設置することができる。即ち、防虫器具１０は植物の栽培場所を問わず、植物の周りに容易に設置して、使用することができる。
【００２５】
防虫器具１０の防虫剤収容部１に貯留する防虫剤は水ＷのみであってもナメクジＳなどの侵入を阻止することができるが、ナメクジＳなどの這行虫類に対する殺虫作用のある薬剤を添加することもできる。また、貯留中の水Ｗの中で蚊の幼生やその他の有害虫の幼生が発生するのを防止するための薬剤や、水Ｗが腐敗して植物Ｐに悪影響を及ぼしたりするのを防止するための防腐剤などを添加することもできる。
【００２６】
なお、本実施形態では、防虫器具１０の防虫剤収容部１に水Ｗあるいは液体状防虫剤を貯留して使用する場合について説明しているが、これに限定しないので、液体防虫剤以外の防虫剤、例えば、粒状、粉状、顆粒状などの防虫剤を防虫剤収容部１に収容することによってナメクジＳなどの侵入を防止する効果を発揮させることもできる。この場合、ナメクジＳなどは、防虫剤収容部１内へ侵入してくるが、そこに収容されている防虫剤（粒状、粉状、顆粒状などの防虫剤）に接触することによって、死滅したり、退却したりするので、ナメクジＳなどが防虫剤収容部１を突破して、植物Ｐの育成領域まで侵入することはない。
【００２７】
防虫器具１０の使い方は、図３に示す使い方に限定しないので、例えば、図４に示すような使い方をすることもできる。図４に示すように、培地Ｌの表面Ｌ１にマルチフィルムＦを敷設した状態で栽培されている植物Ｐに対しても防虫器具１０を使用することができる。この場合、培地Ｌで育成されている植物Ｐの周りを防虫剤収容部１が包囲するような姿勢にして、防虫器具１０を培地Ｌの表面Ｌ１を覆うマルチフィルムＦ上に載置した後、防虫剤収容部１内に水Ｗ（若しくはその他の防虫剤）を入れる。この場合、防虫器具１０の地中挿入部２は、培地Ｌ中に挿入されずに、その下縁部２ａがマルチフィルムＦ上に接触した状態となる。
【００２８】
図４に示す防虫器具１０の使い方は、図３に示す使い方と同様に、植物Ｐの周りが、水Ｗ（若しくはその他の防虫剤）が貯留された連続環濠状の防虫剤収容部１で包囲された状態となり、ナメクジＳなどが植物Ｐに接近するのを阻止することができる。
【００２９】
図４に示す使い方の場合、防虫剤収容部１の下面の地中挿入部２は、培地Ｌ中に挿入されることなく、マルチフィルムＦの表面上に起立した状態に保持されるが、防虫器具１０の自重及び防虫剤収容部１内に貯留された水Ｗの重量により、地中挿入部２の下縁部２ａがマルチフィルムＦ表面に隙間なく密着している。このため、ナメクジＳなどが地中挿入部２の下縁部２ａとマルチフィルムＦ表面との間を通過して植物Ｐに接近することは不可能である。
【００３０】
次に、図５に示す防虫器具２０は、図１，図２に示す防虫器具１０と同様、防虫剤収容部１及び地中挿入部２を備えているが、地中挿入部２の下縁部２ａに、防虫剤収容部１に向かって凹んだ二つの湾状部２ｂが形成されている。二つの湾状部２ｂは、円形をなす下縁部２ａにおいて１８０度離れて互いに対向する位置に形成されている。
【００３１】
図５に示すように、二つの湾状部２ｂ（一方のみ図示）が対向する方向が、培地Ｌに形成された畝Ｌ２の長手方向と一致するような姿勢にして、防虫器具２０を畝Ｌ２上に載置した後、地中挿入部２を培地Ｌに向かって挿入すると、畝Ｌ２の頂上部分に防虫器具２０を安定的に設置することができる。この後、防虫剤収容部１内に水Ｗ若しくはその他の防虫剤を収容すれば、ナメクジＳなどの這行虫類が防虫剤収容部１の内周側の貫通領域３内へ侵入するのを防止することができる。
【００３２】
次に、図６に示す防虫器具３０は、図１，図２に示す防虫器具１０と同様、防虫剤収容部１及び地中挿入部３１を備えているが、地中挿入部３１が、その上縁部３１ａから下縁部３１ｂに向かって連続的に縮径した形状をなしている。
【００３３】
次に、図７に示す防虫器具４０は、図１，図２に示す防虫器具１０と同様、防虫剤収容部１及び地中挿入部４１を備えているが、地中挿入部４１が、その上縁部４１ａから下縁部４１ｂに向かって連続的に拡径した形状をなしている。
【００３４】
次に、図８に示す防虫器具５０は、図１，図２に示す防虫器具１０と同様、防虫剤収容部１及び地中挿入部５１を備えているが、防虫剤収容部１の内周上縁部１ａと、地中挿入部５１の上縁部（図示せず）とが同じ形状、サイズであり、防虫剤収容部１の内周上縁部１ａから地中挿入部５１の下縁部５１ｂまでが連続した円筒形状をなしている。このため、防虫剤収容部１の内周側の貫通領域３は、防虫剤収容部１の内周上縁部１ａから地中挿入部５１の下縁部５１ｂまで同じサイズの直線円筒形状をなしている。
【００３５】
次に、図９に示す防虫器具６０は、図１，図２に示す防虫器具１０と同様、防虫剤収容部１及び地中挿入部６１を備えているが、防虫剤収容部１の外周上縁部１ａと、地中挿入部６１の上縁部（図示せず）とが同じ形状、サイズであり、防虫剤収容部１の外周上縁部１ｂから地中挿入部６１の下縁部６１ｂまでが連続した円筒形状をなしている。このため、防虫器具６０の外観は、防虫剤収容部１の外周上縁部１ｂから、地中挿入部６１の下縁部６１ｂまで同じサイズの直線円筒形状をなしている。
【００３６】
次に、図１０に示す防虫器具７０は、図１，図２に示す防虫器具１０と同様、防虫剤収容部１及び地中挿入部２を備え、さらに、防虫剤収容部１の内部と連通した状態で防虫剤収容部１の外周側に延設された樋状の補給経路７１を備えている。防虫器具７０を培地にセットした直後、あるいは、防虫器具７０の使用中に防虫剤収容部１内に収容されている防虫剤（例えば、水など）が減少した場合、補給容器Ｋから補給経路７１内に防虫剤を注ぎ込めば、補給経路７１を経由して防虫剤収容部１に防虫剤を補給することができる。
【００３７】
補給経路７１は防虫剤収容部１の外周側に突出しているので、貫通領域３内に位置する植物の枝葉によって防虫剤収容部１が覆われているような場合でも、防虫剤の補給作業を容易に行うことができる。
【００３８】
次に、図１１に示す防虫器具８０は、図１，図２に示す防虫器具１０と同様、防虫剤収容部１及び地中挿入部２を備えているが、防虫剤収容部１及び地中挿入部２を横断する方向に形成された接続部８２を介して互いに着脱可能な二つのセグメント体８１，８１によって防虫剤収容部１及び地中挿入部２が形成されている。また、図１２に示すように、セグメント８１の接続部８２の対向部分には、互いに嵌入・離脱可能な凸条８３及び凹溝８４が形成されている。ので、二つのセグメント体８１，８１を連結して形成された防虫剤収容部１から液漏れが発生することもない。
【００３９】
図１１に示すように、防虫器具８０は、互いに連結・分離可能な二つのセグメント体８１，８１によって形成されているので、使用する場合、分離状態にある二つのセグメント体８１，８１の間に植物の茎を挟むようにして二つのセグメント体８１，８１を連結すれば、防虫器具８０を植物にセットすることができる。このため、図１に示す防虫器具１０の貫通領域３を通過してセットすることが困難な植物（例えば、枝葉の繁茂領域が貫通領域３より広い植物や作業者の身長より背丈が高い植物など）に対して防虫器具８０を容易にセットすることができる。
【００４０】
また、図１２に示すように、セグメント体８１，８１の接続部８２同士は、凸条８３及び凹溝８４からなる凹凸嵌合機構で連結されるので、二つのセグメント体８１，８１を連結して形成された防虫剤収容部１から液漏れが発生することもない。
【００４１】
次に、図１３に示す防虫器具９０は、図１１に示す二つのセグメント体８１，８１の間に、直線状をした二つのセグメント体９１，９１を介在させた状態で、セグメント体８１，９１，９１，８１を連結することによって形成される。セグメント体９１の垂直断面形状及びサイズは、セグメント体８１の垂直断面形状及びサイズと同様である。セグメント体９１の両端部分には接続部９２，９２が設けられており、これらの接続部９２，９２は、図１２に示すセグメント体８１の接続部８２における凹凸嵌合機構（凸条８３と凹溝８４からなる凹凸嵌合機構）と同様の凹凸嵌合機構（図示せず）を形成する。
【００４２】
図１３に示すセグメント体８１，９１，９１，８１を連結して形成される防虫器具９０は、平面視形状が長円形の防虫剤収容部１及び地中挿入部２を備えているので、直列状に植えられた複数の植物（図示せず）全体を纏めて包囲するようにセットして使用することができる。
【００４３】
次に、図１４に示す防虫器具１００は、平面視形状がコ字状をした二つのセグメント体１０１，１０１の両端部分同士を着脱可能に連結することによって形成される。セグメント体１０１は断面Ｖ字状をした樋状部材である。セグメント体１０１の両端部分には、互いに連結・分離可能なオス型嵌合部１０２ａと、メス型嵌合部１０２ｂと、が形成されている。また、必要かつ適切な部分に液漏れを防ぐためのパッキン（図示せず）が設けられている。
【００４４】
図１５に示すように、二つのセグメント体１０１，１０１の両端部分同士を対向させ、Ｖ字樋状のオス型嵌合部１０２ａを、Ｖ字鞘状のメス型嵌合部１０２ｂ内に挿入すると、両者が液密状に連結され、防虫器具１００が形成される。
【００４５】
図１４に示すように、二つのセグメント体１０１，１０１を連結して形成される防虫器具１００は平面視形状が長円形の防虫剤収容部１を備えているので、直列状に植えられた複数の植物（図示せず）全体を纏めて包囲するようにセットして使用することができる。
【００４６】
次に、図１６に示す防虫器具１１０は、図１，図２に示す防虫器具１０と同様、防虫剤収容部１及び地中挿入部２を備え、防虫剤収容部１の内周上縁部１ａを、中心線１ｃの周りで開花するように延設することにより、防虫剤収容部１の中心線１ｃ寄りの部分を覆う屋根部１１１が設けられている。
【００４７】
次に、図１７に示す防虫器具１２０は、図１，図２に示す防虫器具１０と同様、防虫剤収容部１及び地中挿入部２を備え、防虫剤収容部１の内周上縁部１ａを、中心線１ｃの周りで大きく開花するように延設することにより、防虫剤収容部１全体を覆い、さらに、その外周側の領域までを覆う漏斗状の屋根部１２１が設けられている。
【００４８】
防虫器具１２０は、防虫剤収容部１全体を含む広範囲の領域を覆う屋根部１２１を備えたことにより、設置場所に降り注ぐ雨水などが防虫剤収容部１に流入するのを防止することができる。従って、防虫器具１２０の防虫剤収容部１内に、雨水による希釈を回避すべき薬剤を収容する場合に好適に使用することができる。なお、防虫器具１２０の屋根部１２１の上面１２１ａに降り注いだ雨水は中心線１ｃに向かって流動した後、貫通領域３内の培地Ｌに向かって落下する。
【００４９】
また、屋根部１２１の外周縁に沿って、斜め下方に垂下したリブＥが設けられているので、屋根部１２１の外周縁付近に降り注いだ雨水はリブＥを伝わって鉛直下方の培地Ｌの表面Ｌ１に落下する。従って、屋根部１２１の外周縁付近に降り注いだ雨水が、屋根部１２１の下面１２１ｂを伝わって流下して防虫剤収容部１内に流入するのを防止することができる。さらに、屋根部１２１の外周縁に沿ってリブＥを設けたことにより、屋根部１２１の強度を高めることができる。
【００５０】
次に、図１８，図１９に示す防虫器具１３０は、図１，図２に示す防虫器具１０と同様の防虫剤収容部１及び地中挿入部２を備え、また、図１６に示す防虫器具１１０と同様の屋根部１１１を有し、屋根部１１１の外周側に、図１７に示す防虫器具１２０と同様の漏斗状の屋根部１３１を備えている。さらに、屋根部１３１と屋根部１１１との境界部分の、屋根部１１１の上縁部（内周上縁部１ａ）を包囲する位置に、複数の管状部１３２が鉛直方向に設けられている。管状部１３２の空洞部１３２ｂの上端は屋根部１３１の上面１３１ａに開口し、管状部１３２の底部１３２ａ側は屋根部１３１の下面１３１ｂから防虫剤収容部１に向かって垂下した状態に形成されている。
【００５１】
図１８に示すように、防虫器具１３０の使用前の状態においては、管状部１３２の底部１３２ａ（図１９参照）には貫通孔１３３が存在せず、閉塞された状態にあるが、実際に使用するときは、図１９に示すように、必要に応じて、底部１３２ａに貫通孔１３３を開設して、空洞部１３２ｂが鉛直方向に貫通した状態とすることができる。また、底部１３２ａの直上付近において筒状部１３２を水平方向に切断して、底部１３２ｂ付近を除去することによって、空洞部１３２ｂを鉛直方向に貫通させた状態にすることもできる。
【００５２】
図１８に示すように、本実施形態の防虫器具１３０においては、管状部１３２は屋根部１１１の内周上縁部１ａの周りの４箇所に９０度間隔で形成されているが、管状部１３２の個数や配置間隔などは、これに限定するものではない。
【００５３】
管状部１３２は、屋根部１３１の最下部より低い位置に設けられ、管状部１３２の底部１３２ａは、防虫剤収容部１の真上に位置している。屋根部１１１の上縁部（内周上縁部１ａ）は、屋根部１３１の最下部及び管状部１３２よりも上方へ高く突出している。なお、屋根部１３１の最下部から下方へ垂下する管状部１３２の長さが長過ぎると、ナメクジなどが管状部１３２の外周などを伝わって屋根部１３１に上がってくる可能性が高まるので、管状部１３２の底部１３２ａが防虫剤収容部１に接近し過ぎない程度の長さとすることが望ましい。
【００５４】
防虫器具１３０は、屋根部１３１の上面１３１ａに降り注いだ雨水を防虫剤収容部１へ流入させる雨水導入手段として、防虫剤収容部１全体を含む広範囲の領域を覆う漏斗状の屋根部１３１及びその中心寄りの部分に位置する複数の管状部１３２を備えている。従って、図１９に示すように、管状部１３２の底部１３２ａに貫通孔１３３を設けることにより、空洞部１３２ｂが鉛直方向に貫通した状態にしておけば、屋根部１３１の上面１３１ａに降り注いだ雨水などは屋根部１３１の上面１３１ａに沿って、中心線１ｃに向かって流動し、管状部１３２の空洞部１３２ｂ内に流れ込む。空洞部１３２ｂ内に流れ込んだ雨水は、貫通孔１３３を通過して、防虫剤収容部１に向かって流下し、防虫剤収容部１内に収容される。
【００５５】
このように、管状部１３２の底部１３２ａに貫通孔１３３を設けた状態にある防虫器具１３０においては、雨天などの際に、屋根部１３１の上面１３１ａに降り注いだ雨水などが、管状部１３２の空洞部１３２ｂ及びその底部１３２ａの貫通孔１３３を経由して流下し、防虫剤収容部１内に回収されるので、防虫剤収容部１に対する水Ｗの補給回数を低減することができる。
【００５６】
一方、屋根部１３１の上面１３１ａに降り注いだ雨水などが防虫剤収容部１内へ流入するのを希望しない場合は、管状部１３２の底部１３２ａが閉塞されたままの状態で使用する。この場合、屋根部１３１の上面１３１ａに降り注いだ雨水は、屋根部１１１の周りに集まり、その水位が内周上縁部１ａに達すると、その後は雨水が内周上縁部１ａを越流して貫通領域３内へ流れ込み、培地Ｌに向かって落下する。
【００５７】
次に、図２０に示す防虫器具１４０は、図１，図２に示す防虫器具１０と同様、防虫剤収容部１及び地中挿入部２を備え、防虫剤収容部１の内周上縁部１ａを、中心線１ｃの周りに拡径する方向に延設することにより、防虫剤収容部１全体を覆い、さらに、その外周側の領域までを覆う傘状の屋根部１４１が設けられている。
【００５８】
防虫器具１４０は、防虫剤収容部１全体を含む広範囲の領域を覆う屋根部１４１を備えているため、設置場所に降り注ぐ雨水などが防虫剤収容部１に流入するのを防止することができる。従って、防虫器具１４０の防虫剤収容部１内に、雨水による希釈を回避すべき薬剤を収容する場合に好適に使用することができる。なお、防虫器具１４０の屋根部１４１に降り注いだ雨水は、屋根部１４１の外周縁（外周上縁部１ａ）に向かって流動した後、貫通領域３内に位置する植物（図示せず）の周辺の培地Ｌに向かって落下する。
【００５９】
次に、図２１に示す防虫器具１５０は、図１，図２に示す防虫器具１０同様、防虫剤収容部１及び地中挿入部１５１を備えている。図２１に示すように、防虫器具１５０の地中挿入部１５１の垂直断面は倒立三角形状をなしており、その下縁部１５１ａは鋭角状に尖った形状をなしている。従って、防虫器具１５０の地中挿入部１５１を培地Ｌ中に向かって挿入するとき、地中挿入部１５１の下縁部１５１ａが楔作用を発揮するので、挿入作業が容易である。
【００６０】
次に、図２２に示す防虫器具１６０は、培地Ｌで育成される植物（図示せず）の周りを包囲する状態で、培地Ｌの表面Ｌ１上に載置可能な防虫剤収容部１６１と、防虫剤収容部１６１と一体的に形成された地中挿入部１６２と、を備えている。防虫剤収容部１６１及び地中挿入部１６２は境界なしで連続的に形成されており、その平面視形状は中心線１６０ｃの周りにて、円形（ドーナツ状）をなしている。
【００６１】
防虫器具１６０は、その垂直断面がＶ字状をなす樋状の部材で形成され、地中挿入部１６２の下縁部１６２ａは鋭角に尖った形状をなしている。防虫剤収容部１６１の内周上縁部１６１ａの位置は外周上縁部１６１ｂの位置より高位側に設定されている。
【００６２】
防虫器具１６０においては、防虫剤収容部１６１及び地中挿入部１６２は、境界なしで連続的に形成されているので、培地Ｌに対する地中挿入部１６２の下縁部１６２ａの挿入深さを、使用条件に応じて変更することができる。また、地中挿入部１６２の下縁部１６２ａは鋭角に尖った形状をなしているので、培地Ｌ中への挿入作業も容易である。
【００６３】
次に、図２３に示す防虫器具１７０は、培地Ｌで育成される植物（図示せず）の周りを包囲する状態で、培地Ｌの表面Ｌ１上に載置可能な防虫剤収容部１７１と、防虫剤収容部１７１の下面部分に形成された地中挿入部１７２と、を備えている。防虫剤収容部１７１及び地中挿入部１７２の平面視形状は中心線１７０ｃの周りにて、円形（ドーナツ状）をなしている。
【００６４】
防虫剤収容部１７１は、垂直断面が略倒立台形状の樋状をなし、地中挿入部１７２は垂直断面がＶ字状の樋状をなし、防虫剤収容部１７１内と地中挿入部１７２内とは上下方向及び周方向に連通しているため、防虫剤収容部１７１と地中挿入部１７２とは連続した樋形状をなしている。また、防虫剤収容部１７１の内周上縁部１７１ａの位置は、外周上縁部１７１ｂの位置より高位側に設定されている。
【００６５】
図２３に示すように、防虫器具１７０においては、防虫剤収容部１７１及び地中挿入部１７２が深さ方向（高さ方向）に連続した樋形状をなしているので、防虫剤収容部１７１内に比較的大量の水Ｗなどの防虫剤を収容することができる。このため、防虫剤収容部１７１に対する水Ｗなどの防虫剤の補給回数の低減を図ることができる。
【００６６】
次に、図２４，図２５，図２６に示す防虫器具１８０は、図２３に示す栽培容器１７０と同様、培地Ｌで育成される植物Ｐの周りを包囲する状態で、培地Ｌの表面Ｌ１上に載置可能な防虫剤収容部１８１と、防虫剤収容部１８１の下面部分に連通状に形成された地中挿入部１８２と、を備えている。防虫剤収容部１８１及び地中挿入部１８２の平面視形状は、中心線１８０ｃの周りにて、円形（ドーナツ状）をなしている。
【００６７】
図２４，図２５に示すように、防虫器具１８０においては、防虫剤収容部１８１は互いに対向状に配置された内周壁１８３及び外周壁１８４などで形成されている。内周壁１８３は、伸縮可能なギャザ部１８３ｇと平板状のセグメント部１８３ｓとが周方向に沿って交互に連続した形状をなし、内周壁１８３の下縁部１８３ａはヒンジ機能を有している。このため、内周壁１８３は、下縁部１８３ａを変曲部として、中心線１８０ｃを中心に拡径、縮径するように塑性変形することができる。また、内周壁１８３が拡径・縮径範囲のどの位置にあっても、内周壁１８３の上縁部１８３ｂは、外周壁１８４の上縁部１８４ｂより高位側に位置するようになっている、
【００６８】
図２６に示すように、植物Ｐの周りに防虫器具１８０を設置した後、防虫剤収容部１８１内に位置する植物Ｐ（例えば、白菜やキャベツなどの植物）が成長して内周壁１８３を外側に向かって押圧する状況が生じたとき、内周壁１８３全体が拡径するように塑性変形することにより、植物Ｐの成長を阻害しないように対応することができる。
【００６９】
次に、図２７，図２８に基づいて、本発明の実施形態である防虫栽培器具２００，２１０について説明する。
【００７０】
図２７に示すように、防虫栽培器具２００は、培土Ｌ３を収容可能なカップ状の培土容器部２０１と、培土容器部２０１の外周面２０１ｂの上縁部２０１ａ付近を連続的に包囲するように形成された樋状の防虫剤収容部２０２と、を備えている。
【００７１】
防虫栽培器具２００中の培土Ｌ３で植物（図示せず）を栽培しているとき、防虫剤収容部２０２内に水Ｗ（若しくはその他の防虫剤）を収容しておけば、培土容器部２０１の外周面２０１ｂに沿ってナメクジＳなどが這い上がることがあっても、防虫剤収容部２０２内に収容されている水Ｗなどの防虫剤により、ナメクジＳの進行が阻止される。従って、培土Ｌ３にて栽培中の植物にナメクジＳが接近することができず、ナメクジＳによる被害を防止することができる。
【００７２】
図２８に示すように、防虫栽培器具２１０は、培土Ｌ３を収容可能なカップ状の培土容器部２１１と、培土容器部２１１の外周面２１１ｂの底部２１１ａ付近を連続的に包囲するように形成された樋状の防虫剤収容部２１２と、を備えている。
【００７３】
培土Ｌ３で植物（図示せず）を栽培しているとき、防虫剤収容部２１２内に水Ｗ（若しくはその他の防虫剤）を収容しておけば、防虫剤収容部２１２の外周面２１２ｂにナメクジＳが接近することがあっても、防虫剤収容部２１２内に収容されている水Ｗなどの防虫剤により、ナメクジＳの進行が阻止される。従って、培土Ｌ３にて栽培中の植物にナメクジＳが接近することができなくなり、ナメクジＳによる被害を防止することができる。
【００７４】
防虫栽培器具２００，２１０はそれぞれの培土収容部２０１，２１１と一体的に防虫剤収容部２０２，２１２を備えているため、防虫栽培器具２００，２１０の設置場所が変更されても、ナメクジＳなどによる植物の被害を防止することができる。
【００７５】
次に、図２９〜図３１に基づいて、本発明のその他の実施形態である防虫器具２３０について説明する。なお、図２９〜図３１に示す防虫器具２３０は、図１８，図１９に示す防虫器具１３０と共通する形状、機能を有する部分が多いので、共通する部分については図１８，図１９中に示す符号と同じ符号を付して説明を省略する。
【００７６】
次に、図２９に示す防虫器具２３０は、図１８，図１９に示す防虫器具１３０と同様、防虫剤収容部１と、地中挿入部２と、屋根部１１１と、屋根部１１１の外周側の漏斗状の屋根部１３１と、を備えている。また、屋根部１３１と屋根部１１１との境界部分の、屋根部１１１の上縁部（内周上縁部１ａ）を包囲する位置に、複数の管状部２３２が中心線１ｃを中心に放射状に拡がりながら、且つ、防虫剤収容部１に接近していくような状態で設けられている。管状部２３２の空洞部２３２ｂの上端は屋根部１３１の上面１３１ａに開口し、空洞部２３２ｂの下端は底部２３２ａで閉塞され、この底部２３２ａは防虫剤収容部１の外周上縁部１ｂより外側に位置するように延設されている。
【００７７】
図２９に示すように、使用前の防虫器具２３０は、管状部２３２の下端が底部２３２ａで閉塞された状態にあるので、このままの状態で使用することができるが、これに限定するものではなく、図３０に示すように、管状部２３２を底部２３２ａ（図２９参照）の近傍で切断した状態で使用したり、図３１に示すように、管状部２３２を屋根部１３１の下面１３１ｂの近傍で切断した状態で使用したりすることもできる。
【００７８】
即ち、屋根部１３１の上面１３１ａに降り注いだ雨水などが防虫剤収容部１内へ流入するのを希望しない場合は、図２９若しくは図３０に示すような状態で使用し、屋根部１３１の上面１３１ａに降り注いだ雨水などを防虫剤収容部１内に導入したい場合は、図３１に示すような状態で使用することができる。
【００７９】
図２９に示す防虫器具２３０においては、管状部２３２の下端が底部２３２ａで閉塞された状態にある。この状態の防虫器具２３０において、屋根部１３１の上面１３１ａに降り注いだ雨水は、屋根部１１１の周りに集まり、その水位が内周上縁部１ａを越えると、内周上縁部１ａを越流して貫通領域３内へ流れ込むので、雨水は地中挿入部２で囲まれた範囲内にある培地Ｌに向かって落下し、当該培地Ｌ内へ浸透する。
【００８０】
次に、図３０に示す防虫器具２３０においては、管状部２３２の下端部分が底部２３２ａ（図２９参照）の近傍で切断され、管状部２３２の下端部２３２ｃが開口した状態にある。また、管状部２３２の下端部２３２ｃは、防虫剤収容部１の外周上縁部１ｂよりも外周側（中心線１ｃから離れた側）に位置している。
【００８１】
図３０に示す防虫器具２３０においては、管状部２３２の下端部２３２ｃが開口した状態にあるので、屋根部１３１の上面１３１ａに降り注いだ雨水は、屋根部１１１の周りに集まり、管状部２３２の空洞部２３２ｂ内へ流入し、傾斜した空洞部２３２ｂ内を下方へ向かって流下していき、下端部２３２ｃから流出する。管状部２３２の下端部２３２ｃから流出した雨水は、防虫剤収容部１の外周上縁部１ｂよりも外周側に位置する培地Ｌに向かって落下し、当該培地Ｌ内へ浸透する。
【００８２】
次に、図３１に示す防虫器具２３０においては、管状部２３２の下端部分が屋根部１３１の下面１３１ｂの近傍で切断され、管状部２３２の下端部２３２ｄが開口した状態にある。また、管状部２３２の下端部２３２ｄは、防虫剤収容部１の外周上縁部１ｂよりも内周側（中心線１ｃに近い側）に位置している。
【００８３】
図３１に示す防虫器具２３０においては、管状部２３２の下端部２３２ｄが開口した状態にあるので、屋根部１３１の上面１３１ａに降り注いだ雨水は、屋根部１１１の周りに集まり、管状部２３２の空洞部２３２ｂ内へ流入し、傾斜した空洞部２３２ｂ内を下方へ向かって流下していき、下端部２３２ｄから流出する。管状部２３２の下端部２３２ｄから流出した雨水は、外周上縁部１ｂよりも内周側に位置する防虫剤収容部１に落下し、防虫剤収容部１内に貯留される。従って、防虫剤収容部１に対する水Ｗなどの防虫剤の補給回数の低減を図ることができる。
【００８４】
次に、図３２，図３３に示す防虫器具２４０は、図１，図２に示す防虫器具１０と同様の防虫剤収容部１及び地中挿入部２を備え、また、図１６に示す防虫器具１１０と同様の屋根部１１１を有し、屋根部１１１の外周側に、図１９に示す防虫器具１３０と同様の漏斗状の屋根部２４１を備えている。
【００８５】
さらに、屋根部２４１と屋根部１１１との境界部分の、屋根部１１１の上縁部（内周上縁部１ａ）を包囲する複数の位置に、長円筒状部２４２が鉛直方向に設けられている。長円筒状部２４２の空洞部２４２ａ，２４２ｂの上端は屋根部２４１の上面２４１ａ側に開口し、長円筒状部２４２の底部２４２ｃ，２４２ｄ側は屋根部２４１の下面２４１ｂから鉛直下方に向って垂下した状態に形成されている。
【００８６】
図３３に示すように、長円筒状部２４２の内側（中心線１ｃに近い側）に設けられた空洞部２４２ｂの底部２４２ｄは防虫剤収容部１の直上に位置し、長円筒状部２４２の外側（中心線１ｃから遠い側）に設けられた空洞部２４２ａの底部２４２ｃは防虫剤収容部１の外周上縁部１ｂより外側に位置している。
【００８７】
図３３に示すように、使用前の防虫器具２４０においては、空洞部２４２ａ，２４２ｂの底部２４２ｃ，２４２ｄは閉塞された状態にあるが、図３４に示すように、空洞部２４２ｂの底部２４２ｄに貫通孔２４３を開設すれば（若しくは底部２４２ｄを削除すれば）、屋根部２４１の上面２４１ａに降り注いだ雨水を防虫剤収容部１内へ流入させることができる。
【００８８】
また、図３５に示すように、空洞部２４２ａの底部２４２ｃを削除すれば（若しくは底部２４２ｃに貫通孔（図示せず）を開設すれば）、屋根部２４１の上面２４１ａに降り注いだ雨水を培地Ｌの表面Ｌ１に向かって落下させることができる。
【００８９】
さらに、図３６に示すように、空洞部２４２ａ，２４２ｂの底部２４２，２４２ｄにそれぞれ貫通孔２４２を開設して使用することもできる。このような状態で使用した場合、屋根部２４１の上面２４１ａに降り注いだ雨水は、空洞部２４２ａの底部２４２ｃの貫通孔２４３を通過して培地Ｌの表面Ｌ１に向かって落下するとともに、空洞部２４２ｂの底部２４２ｄの貫通孔２４３を通過して防虫剤収容部１内へ流入する。
【００９０】
このように、防虫器具２４０においては、空洞部２４２ａ，２４２ｂの底部２４２ｃ，２４２ｄをそのまま残した状態で使用することができるが、これに限定するものではなく、底部２４２ｃ，２４２ｄのいずれかに貫通孔２４３を開設したり、底部２４２ｃ，２４２ｄのいずれかを削除したりすることにより、空洞部２４２ａ，２４２ｂのいずれかを鉛直方向に貫通させ、通水性を持たせた状態で使用することもできる。
【００９１】
図３２に示すように、本実施形態の防虫器具２４０においては、長円筒状部２４２は屋根部１１１の内周上縁部１ａの周りの４箇所に９０度間隔で形成されているが、長円筒状部２４２の個数や配置間隔などは、これに限定するものではない。
【００９２】
なお、図１〜図３６に基づいて説明した防虫器具１０，２０，３０，４０，５０，６０，７０，８０，９０，１００，１１０，１２０，１３０，１４０，１５０，１６０，１７０，１８０，２３０，２４０及び防虫栽培器具２００，２１０は、それぞれ本発明を例示するものであり、本発明に係る防虫器具及び防虫栽培器具は、前述した防虫器具１０〜２４０及び防虫栽培器具２００，２１０に限定されない。
【産業上の利用可能性】
【００９３】
本発明に係る防虫器具及び防虫栽培器具は、ナメクジやカタツムリなどの這行虫類の被害を防止する手段として農業あるいは農業資材製造業などの分野において広く利用することができる。
【符号の説明】
【００９４】
１，１６１，１７１，１８１，２０２，２１２  防虫剤収容部
１ａ，１６１ａ，１７１ａ  内周上縁部
１ｂ，１６１ｂ，１７１ｂ  外周上縁部
１ｃ，１６０ｃ，１７０ｃ，１８０ｃ  中心線
２，１６２，１７２，１８２  地中挿入部
２ａ，３１ｂ，４１ｂ，５１ｂ，６１ｂ，１５１ａ，１６２ａ，１８３ａ  下縁部
２ｂ  湾状部
３  貫通領域
１０，２０，３０，４０，５０，６０，７０，８０，９０，１００，１１０，１２０，１３０，１４０，１５０，１６０，１７０，１８０，２３０，２４０  防虫器具
２，３１，４１，５１，６１，１５１  地中挿入部
３１ａ，４１ａ，１８３ｂ，１８４ｂ，２０１ａ  上縁部
７１  補給経路
８１，９１，１０１，１０２  セグメント体
８２，９２  接続部
８３  凸条
８４  凹溝
１０２ａ  オス型嵌合部
１０２ｂ  メス型嵌合部
１１１，１２１，１３１，１４１，２４１  屋根部
１２１ａ，１３１ａ，２４１ａ  上面
１２１ｂ，１３１ｂ，２４１ｂ  下面
１３２，２３２  管状部
１３２ａ，２３２ａ  底部
１３２ｂ，２３２ｂ，２４２ａ，２４２ｂ  空洞部
１３３，２４３  貫通孔
１８３  内周壁
１８３ｇ  ギャザ部
１８３ｓ  セグメント部
１８４  外周壁
２００，２１０  防虫栽培器具
２０１，２１１  培土容器部
２０２，２１２  防虫剤収容部
２０１ｂ，２１１ｂ，２１２ｂ  外周面
２１１ａ，２４２ｃ，２４２ｄ  底部
２３２ｃ，２３２ｄ  下端部
２４２  長円筒状部
Ｅ  リブ
Ｆ  マルチフィルム
Ｋ  補給容器
Ｌ  培地
Ｌ１  表面
Ｌ２  畝
Ｌ３  培土
Ｐ  植物
Ｐ１  茎
Ｒ  根
Ｓ  ナメクジ
Ｗ  水
【図１】
2017063638.tif 000003
【図２】
2017063638.tif 000004
【図３】
2017063638.tif 000005
【図４】
2017063638.tif 000006
【図５】
2017063638.tif 000007
【図６】
2017063638.tif 000008
【図７】
2017063638.tif 000009
【図８】
2017063638.tif 000010
【図９】
2017063638.tif 000011
【図１０】
2017063638.tif 000012
【図１１】
2017063638.tif 000013
【図１２】
2017063638.tif 000014
【図１３】
2017063638.tif 000015
【図１４】
2017063638.tif 000016
【図１５】
2017063638.tif 000017
【図１６】
2017063638.tif 000018
【図１７】
2017063638.tif 000019
【図１８】
2017063638.tif 000020
【図１９】
2017063638.tif 000021
【図２０】
2017063638.tif 000022
【図２１】
2017063638.tif 000023
【図２２】
2017063638.tif 000024
【図２３】
2017063638.tif 000025
【図２４】
2017063638.tif 000026
【図２５】
2017063638.tif 000027
【図２６】
2017063638.tif 000028
【図２７】
2017063638.tif 000029
【図２８】
2017063638.tif 000030
【図２９】
2017063638.tif 000031
【図３０】
2017063638.tif 000032
【図３１】
2017063638.tif 000033
【図３２】
2017063638.tif 000034
【図３３】
2017063638.tif 000035
【図３４】
2017063638.tif 000036
【図３５】
2017063638.tif 000037
【図３６】
2017063638.tif 000038